(57)【要約】【課題】  挿入物を区分けしたい時、ワンタッチで本体中側に引き出せる帯体部を有する入れ物を提供する。【解決手段】  バッグ類、籠類、箱類、容器類等の周囲壁を有する入れ物を本体と称し、この本体側面内側に添って１カ所以上の帯体部を設け、該帯体部は、本体側面部の任意の１湾曲部ないしは１角部を間にして、当側面部との２カ所以上の接合ないしは接合可能とする接合個所を有し、その接合個所の２カ所の上端を結んだ直線位置を中心にして、逆側のほぼ対称位置まで移動可能であることを特徴とする。【選択図】図１
2011063315.tif 000002
【特許請求の範囲】
【請求項１】
バッグ類、籠類、箱類、容器類等の周囲壁を有する入れ物を本体と称し、この本体側面内側に添って１カ所以上の帯体部を設け、該帯体部は、本体側面部の任意の１湾曲部ないしは１角部を間にして、当側面部との２カ所以上の接合ないしは接合可能とする接合個所を有し、その接合個所の２カ所の上端を結んだ直線位置を中心にして、逆側のほぼ対称位置まで移動可能であることを特徴とする、帯体部を有する入れ物。
【請求項３】
帯体部の下端部は本体底部と分離していることを特徴とする、請求項１記載の、帯体部を有する入れ物。
【請求項４】
帯体部が本体に対し着脱自在に設けられていることを特徴とする、請求項１、２記載の、帯体部を有する入れ物。
【発明の詳細な説明】
【技術分野】
【０００１】  本発明は、バッグ類、籠類、箱類、容器類等の周囲壁を有する入れ物に関するものである。
【背景技術】
【０００２】  従来、挿入口を矩形と見なした時、本体ー側面部内側に添って、あるいはー側面部に平行にポケットが設けられている。
【発明の開示】
【発明が解決しようとする課題】
【０００３】    そのために次のような問題点があった。
（イ）本体ー側面部内側に添うポケットは、挿入口の中側を仕切ることは出来なかった。
（ロ）ポケットを挿入口の中間に有する場合、短辺長辺側共に、その長さが半減し、当挿    入口内に挿入出来る筈の大きさの物を、挿入出来なかった。
（ハ）バッグの中側に仕切がないため、外側に多くのポケットを設けて収納物を分類せざ    るを得なかった。
（ニ）バッグの外側で分類すると、留め具が必要となり、しかしこの留め具は、外側では    他からの作用などで外れ易くかった。
（ホ）仕切りによって生じる空間の大きさを、自由に変更出来なかった。
【課題を解決するための手段】
【０００４】  バッグ類、籠類、箱類、容器類等の周囲壁を有する入れ物を本体と称し、この本体側面内側に添って１カ所以上の帯体部を設け、該帯体部は、本体側面部の任意の１湾曲部ないしは１角部を間にして、当側面部との２カ所以上の接合ないしは接合可能とする接合個所を有し、その接合個所の２カ所の上端を結んだ直線位置を中心にして、逆側のほぼ対称位置まで移動可能であることを特徴とする。
【発明の効果】
【０００５】  帯体部があっても、操作を加えなければ中側には現れないため、挿入口近似値大の物が収納出来るようになった。
帯体部を利用して挿入物を区分けしたい時、ワンタッチで帯体部が本体中側に引き出せるようになった。
中側で分類して収納出来るようになった。
縦長の収納物を縦向きに置いても、倒れにくくなった。
バッグの外側に多くのポケットを設けなくてよくなった。
【発明を実施するための最良の形態】
【０００６】  以下、本発明の実施の形態について説明する。周囲壁を有する入れ物ないしはそれに類する補助的な入れ物を本体と称し、この本体を形成する生地が柔らかければ物を挿入した時、側面部や底面部が変形するが、便宜上、これを図示しない場合がある。また取って部や蓋部の有無や形状は問わないため、これを図示するとは限らない。本体は硬質なものも含めるが、帯体部は波状程度の湾曲可能な材質にする。
図１〜図１１を用いて、本体挿入口が円、楕円状等の側面部が曲線で形作られた場合の、第１形態を説明する。
１湾曲部を挟んで１帯体部を有する場合を、円形状で説明する。
図１〜図５で、帯体部を１カ所に有する場合を説明する。
図１は本体（１）の平面図で、挿入口（２）と帯体部を接合するための接合個所▲１▼（３）と接合個所▲２▼（６）、それらの上端を結んだ説明用直線（４）と、接合個所で区切られる湾曲部▲１▼（５）を示している。図２は斜視図で、本体側面部内側に有する帯体部（７）を示している。帯体部が縫合によって接合される場合は、当図のように接合ライン（８）が本体側面部の表面に現れ、内蔵の場合は表れない。取って部を設ける場合は本体の形態に対して通常行われるように、重さ的に視覚的にバランスの取れる位置に設ければよい。接合ラインや取って部については、以下の形態に通じる。図３は図２の状態の使用平面図で、ａは帯体部に操作を加えていない状態、ｂはａの状態の挿入口にほぼその大きさの挿入物（９）が挿入出来ることを示している。当図で挿入物を升目模様で表示しているが、これを以下同様とする。図４は使用平面図で、ａは中側に引き出した帯体部、ｂは生じた空間部（１０）に挿入した挿入物、ｃは元から存在する挿入口にも挿入物が挿入出来ることを示す。この使い方は以下に通じる。
図５ａは接合個所▲１▼、▲２▼を本体直径位置に求めた場合で、ｂはその場合の使用例である。
尚、帯体部について基本的には、形状は長方形状とし、その最下端は本体底面部と分離する。帯体部をポケット状にしたい時には、帯体部を中側へ引き出した最大の底面枠の広さの、伸縮自由になる柔軟な生地を張ることになる。一部を保冷可能ポケットとすることも考えられる。ポケットの作り方やその使い方について以下に通じる。【０００７】  図６〜図１０で、帯体部を２カ所以上に有する場合を説明する。
図６は平面図で、前記の帯体部（７）に対し新たに接合個所▲３▼（１２）を設けて、二つ目として幅の狭い帯体部（１１）を有した場合の、ａは操作を加えていない帯体部、ｂは中側に引き出した帯体部を示している。図７は平面図で、ａは二つ目の幅の狭い帯体部を中側に引き出すことなくそのままにし、薄いシート類の挿入個所とする使い方を示す。ｂは生じた２つの空間部（１０）と元の挿入口（２）の合計３個所に、挿入物（９）が挿入されることを示す。
図８は平面図で、本体側面部内側全体に同じ大きさの帯体部を３カ所に有する場合の、ａで操作を加えない帯体部、ｂで中側に引き出した帯体部を示し、ｃはビール瓶などの挿入物が３本挿入出来ることを示している。中心に存在する元の挿入口には何も入れない、又は他の細い挿入物ないしはクッション等を挿入する。小さくは鉛筆立てや花器としての使い方もある。この使い方は以下に通じる。
図９は平面図で、図６に対し新たに接合個所▲４▼（１３）接合個所▲５▼（１４）、接合個所▲６▼（１５）を設けて、同じ大きさの帯体部を６カ所に有する場合の、ａは操作を加えない、ｂは中側に引き出した、帯体部を示している。図１０は使用平面図で、ａは前図９ｂに挿入物を挿入した、ｂは帯体部の一部を引き出さずに、薄いシート類を挿入する、使い方を示す。中側に引き出さないと決めた個所をポケットとして、その下端を本体側面部の対応する位置に接合する場合も考えられる。これは以下に通じる。【０００８】  図１１〜図１５を用いて、本体挿入口が三角状で側面部が直線で形作られた場合の、第２形態を説明する。
１角部を挟んで１帯体部を有する場合を、正三角形状で説明する。
図１１〜図１４で、帯体部を１カ所に有する場合を説明する。
図１１は本体（１）の平面図で、挿入口（２）と帯体部を接合するための接合個所▲１▼（３）と接合個所▲２▼（６）、それらの上端を結んだ説明用直線（４）と、接合個所で区切られる１角部（１６）を示している。図１２は斜視図で、本体側面部内側に有する帯体部（７）を示している。図１３は使用平面図で、ａは操作を加えていない状態を、ｂはａの状態の挿入口にほぼその大きさの挿入物（９）が挿入出来ることを、示している。図１４は使用平面図で、ａは中間が対辺部と接触するまで引き出した帯体部、ｂは生じた空間部（１０）と元から存在する挿入口に挿入した挿入物を、示す。帯体部と対辺部との接触個所については後述する。
図１５で同じ大きさの帯体部を２カ所以上に有する場合を説明する。
帯体部を３カ所に有する場合の平面図で、ａは操作を加えていない帯体部を、ｂは帯体部を中側に引き出して、元の挿入口１カ所に加え空間部が３カ所に生じたことを示す。【０００９】  図１６〜図２２を用いて、本体挿入口が四角形状で周囲が直線で形作られた場合の、第３形態を説明する。
１角部を挟んで１帯体部を有する場合を、正方形状で説明する。
図１６〜図１９で、帯体部を１カ所に有する場合を説明する。
図１６は本体（１）の平面図で、挿入口（２）と帯体部（７）を接合するための接合個所▲１▼（３）と接合個所▲２▼（６）、それらの上端を結んだ説明用の直線（４）、接合個所で区切られる１角部▲１▼（１６）を示している。図１７は斜視図で、本体側面部内側に有する帯体部と本体との接合ライン（８）を示している。図１８は使用平面図で、ａは操作を加えていない帯体部を、ｂはａの状態の挿入口にほぼその大きさの挿入物（９）が挿入出来ることを、示している。図１９は使用平面図で、ａは中側に引き出した帯体部、ｂは生じた空間部（１０）に挿入した挿入物、を示している。
図２０〜図２２で、本体側面部内側に帯体部を２カ所以上有する場合を説明する。
図２０は大きさが異なる場合で、前述の帯体部に対し新たに接合個所▲３▼（１２）を設けて、二つ目として幅の狭い帯体部（１１）を設け、ａは操作を加えない、ｂは中側に引き出した帯体部を示している。図２１は同じ大きさで４カ所に帯体部を設ける場合の使用平面図で、ａは操作を加えていない帯体部を、ｂはａの状態の挿入口にほぼその大きさの挿入物が挿入出来ることを、示している。図２２は平面図で、中側への帯体部の引きだし方について、ａでは全部をｂでは一部を、引き出した使い方を示している。【００１０】  図２３、図２４を用いて、本体挿入口が五角形以上の、側面部が直線で形作られた場合の、第４形態を説明する。
帯体部を２カ所以上に有する場合を、正六角形状で説明する。
図２３は本体（１）の平面図で、図２０に対して新たに接合個所▲４▼（１３）、接合個所▲５▼（１４）、接合個所▲６▼（１５）を設け、同じ大きさの帯体部（７）を本体内側全体に有する場合である。図２４は使用平面図で、ａは中側に引き出した帯体部を、ｂは生じた空間部（１０）と元の挿入口（２）に挿入した挿入物（９）を、示している。【００１１】  図２５〜図３１で、接合個所を着脱可能にする、第５形態を説明する。
着脱個所については、帯体部側を着脱個所Ａ（１８）、本体側を着脱個所Ｂ（１９）とする。
図２５、図２６で円状の場合を説明する。
図２５は本体（１）の平面図で、ａは挿入口（２）と帯体部を接合するための接合個所▲１▼（３）と接合個所▲３▼（１２）、それらの上端を結んだ説明用の直線（４）があり、この間に湾曲部▲１▼（５）、湾曲部▲２▼（１７）の湾曲部を個別に有するように、接合個所▲２▼（６）を着脱個所にして設けた場合である。ｂは２つの帯体部（７）を個別に中側に引き出した、ｃは接合個所▲２▼を外した状態を示している。図２６で、０００８の図１４を含めた接合例を拡大図で示す。ａはこれまで説明した縫合による例で、二つの帯体部の境界位置（２０）を折り曲げてそこを縫合する場合、ｂは境界位置をピン（２１）で挟んで留める、ｃは本体側面部内側に溝（２２）を設け、そこに硬めにまとめた帯体部端部を差し込む。その他の留め具としてはファスナー、面テープ、スナップ、雄雌留め具、磁石、蝶番などがある。【００１２】  図２７で、三角状の場合を説明する。
図２７は本体（１）の平面図で、ａは挿入口（２）と帯体部を接合するための接合個所▲１▼（３）と接合個所▲３▼（１２）、それらの上端を結んだ説明用直線（４）があり、この間に角部▲１▼（１６）、角部▲２▼（２３）の角部を個別に有するように、接合個所▲２▼（６）を着脱個所にして設けた場合である。ｂは２つの帯体部を個別に中側に引き出した、ｃは接合個所▲２▼を外した状態と、着脱個所Ａ（１８）、着脱個所Ｂの状態を示している。
図２８〜図３１で、長方形状の場合を説明する。
図２８は平面図で、ａは挿入口（２）と帯体部（７）を接合するための接合個所▲１▼（３）と接合個所▲３▼（１２）、それらの上端を結んだ説明用の直線（４）があり、この間に角部▲１▼（１６）、角部▲２▼（２３）の角部を個別に有するように、接合個所▲２▼（６）を着脱個所にして設けた場合である。図２９は平面図で、ａは２つの帯体部を個別に中側に引き出した、ｂは接合個所▲２▼を外した状態を示している。図３０は平面図で、左右２カ所に当形態の帯体部を設けた場合の、左側の帯体部は中側へ引き出した、右側はそのままの状態を示している。図３１は平面図で、これまでは短辺側に設けたが、長辺側に帯体部を有する場合の、ａはそのままの、ｂは着脱個所を外し中側へ引き出した状態を示す。【００１３】  当発明は空間部の広さを選択出来るメリットがあるが、各形態の帯体部の取り付け方について、総ての接合個所を着脱自由な方法で設けて、本体より全部を完全に脱する方法もあり、この場合は、挿入物に応じ必要時に、着脱を行うことになる。
【図面の簡単な説明】
【００１４】
【図１】  本発明の第１形態の平面図である。
【図２】  本発明の第１形態の斜視図である。
【図３】  本発明の第１形態の使用図である。
【図４】  本発明の第１形態の使用図である。
【図５】  本発明の第１形態の使用平面図である。
【図６】  本発明の第１形態の使用平面図である。
【図７】  本発明の第１形態の使用平面図である。
【図８】  本発明の第１形態の使用平面図である。
【図９】  本発明の第１形態の使用平面図である。
【図１０】  本発明の第１形態の平面図である。
【図１１】  本発明の第２形態の平面図である。
【図１２】  本発明の第２形態の斜視図である。
【図１３】  本発明の第２形態の使用平面図である。
【図１４】  本発明の第２形態の使用平面図である。
【図１５】  本発明の第２形態の使用平面図である。
【図１６】  本発明の第３形態の平面図である。
【図１７】  本発明の第３形態の斜視図である。
【図１８】  本発明の第３形態の使用平面図である。
【図１９】  本発明の第３形態の使用平面図である。
【図２０】  本発明の第３形態の使用平面図である。
【図２１】  本発明の第３形態の使用平面図である。
【図２２】  本発明の第３形態の平面図である。
【図２３】  本発明の第４形態の平面図である。
【図２４】  本発明の第４形態の使用平面図である。
【図２５】  本発明の第５形態の平面図である。
【図２６】  本発明の第５形態の拡大斜視図である。
【図２７】  本発明の第５形態の平面図である。
【図２８】  本発明の第５形態の平面図である。
【図２９】  本発明の第５形態の平面図である。
【図３０】  本発明の第５形態の平面図である。
【図３１】  本発明の第５形態の平面図である。
【符号の説明】
【００１５】  １  本体                ２  挿入口              ３  接合個所▲１▼
４  説明用直線          ５  湾曲部▲１▼        ６  接合個所▲２▼
７  帯体部              ８  接合ライン          ９  挿入物
１０  空間部            １１  狭い帯体部        １２  接合個所▲３▼
１３  接合個所▲４▼    １４  接合個所▲５▼    １５  接合個所▲６▼
１６  角部▲１▼        １７  湾曲部▲２▼      １８  着脱個所Ａ
１９  着脱個所Ｂ        ２０  境界位置          ２１  ピン
２２  溝                ２３  角部▲２▼
【図１】
2011063315.tif 000003
【図２】
2011063315.tif 000004
【図３】
2011063315.tif 000005
【図４】
2011063315.tif 000006
【図５】
2011063315.tif 000007
【図６】
2011063315.tif 000008
【図７】
2011063315.tif 000009
【図８】
2011063315.tif 000010
【図９】
2011063315.tif 000011
【図１０】
2011063315.tif 000012
【図１１】
2011063315.tif 000013
【図１２】
2011063315.tif 000014
【図１３】
2011063315.tif 000015
【図１４】
2011063315.tif 000016
【図１５】
2011063315.tif 000017
【図１６】
2011063315.tif 000018
【図１７】
2011063315.tif 000019
【図１８】
2011063315.tif 000020
【図１９】
2011063315.tif 000021
【図２０】
2011063315.tif 000022
【図２１】
2011063315.tif 000023
【図２２】
2011063315.tif 000024
【図２３】
2011063315.tif 000025
【図２４】
2011063315.tif 000026
【図２５】
2011063315.tif 000027
【図２６】
2011063315.tif 000028
【図２７】
2011063315.tif 000029
【図２８】
2011063315.tif 000030
【図２９】
2011063315.tif 000031
【図３０】
2011063315.tif 000032
【図３１】
2011063315.tif 000033